(57)【要約】【課題】  従来、お茶や紅茶を抽出する場合は、熱い湯を注いで、適宜放置しなくてはならないので、お茶や紅茶の種類によっては時間が長くかかったり、又、お茶や紅茶が少量しか抽出されないという問題がある。【解決手段】  超音波振動子１とダミーホーン２の間に振動板３が挟持されて、超音波振動子１と振動板３及びダミーホーン２が一体に固着され、又、振動板３は超音波振動子１とダミーホーン２の接着部から直交する方向に伸び、超音波振動子１及びダミーホーン２から少し離れた部分３ａでほぼ直角に曲げられ、ダミーホーン２の他端に接触して装着された湾曲した容器４を支えるように、振動板３の直角部分３ａから伸びた先端３ｂの近傍で、容器４の形状に沿って曲げられた部分３ｃが設けられ、又、超音波振動子１に発振出力を印加する発振器５が電気的に接続されている。【選択図】図１
2006149710.tif 000002
【特許請求の範囲】
【請求項１】
超音波振動子の振動端に振動板を介してダミーホーンの一端を一体に構成した振動装置と、前記超音波振動子に接続した発振器と、前記振動装置の前記ダミーホーンの他端に接触させた容器とからなり、前記振動装置の振動板の延長部を前記容器の側部に接触させ、前記超音波振動子に前記発振器から発振出力を印加することにより、前記容器内の液体を撹拌して抽出することを特徴とする超音波撹拌抽出装置。
【請求項２】
前記超音波振動子は圧電体振動子を２つの金属ブロックで挟持して一体に構成したランジュバン型振動子であることを特徴とする請求項１記載の超音波撹拌抽出装置。
【請求項３】
前記ダミーホーンと前記容器を一体に構成することを特徴とする請求項１記載の超音波撹拌抽出装置。
【請求項４】
前記容器は通常の水又はジュースを入れたビン又はボトルであることを特徴とする請求項１記載の超音波撹拌抽出装置。
【発明の詳細な説明】
【技術分野】
【０００１】
本発明は、容器内の液体を超音波振動させて撹拌し、容器内に入れた煎茶等を低温で抽出する超音波撹拌抽出装置に関するものである。
【背景技術】
【０００２】
従来、お茶のパックやお茶の葉からお茶を抽出したり、又、紅茶の葉や紅茶のパックから紅茶を抽出する場合は、急須にお茶の葉を入れて、熱いお湯を注いでお茶を出しだり、又、紅茶の葉をティーポットに入れて熱いお湯を注いで。紅茶を抽出したり、さらに、お茶のパックや紅茶のパックは湯飲みに入れて、熱いお湯を注ぎ、お茶や紅茶を抽出するようにしている。
【０００３】
しかしながら、このように、お茶や紅茶を抽出する場合は、熱い湯を注いで、適宜放置しなくてはならないので、お茶や紅茶の種類によっては時間が長くかかったり、又、お茶や紅茶が少量しか抽出されないという問題がある。
【発明の開示】
【発明が解決しようとする課題】
【０００４】
解決しようとする問題点は、従来、お茶や紅茶を抽出する場合は、熱い湯を注いで、適宜放置しなくてはならないので、お茶や紅茶の種類によっては時間が長くかかったり、又、お茶や紅茶が少量しか抽出されないという問題がある。
【課題を解決するための手段】
【０００５】
本発明では、振動装置は超音波振動子の振動端に振動板を介してダミーホーンの一端を一体に構成し、発振器が超音波振動子に接続され、容器は振動装置のダミーホーンの他端に接触され、振動装置の振動板の延長部を前記容器の側部に接触させ、発振器から超音波振動子に発振出力を印加することにより、容器内の液体を撹拌して抽出するものである。
【発明の効果】
【０００６】
本発明の超音波撹拌抽出装置では、容器の底部から超音波の縦波を照射し、容器の外側から超音波の横振動を照射することにより、容器内に超音波エネルギーであるキャビテーションと直進流、加速度等の物理力を作用させることができ、容器内の液体を縦波、横波で撹拌し、液体の流れと周期からの撹拌と、音響振動による揉み解かし、分子摩擦、圧力変動等で容器に入れた固形物からの抽出を促進させ、低温の液体でも、高温なみに抽出ができ、清涼飲料水でも撹拌抽出が簡単にできる。
【発明を実施するための最良の形態】
【０００７】
本発明では、振動装置は超音波振動子の振動端に振動板を介してダミーホーンの一端を一体に構成し、発振器が超音波振動子に接続され、容器は振動装置のダミーホーンの他端に接触され、又は固着され、振動装置の振動板の延長部を前記容器の側部に接触させ、発振器から超音波振動子に発振出力を印加することにより、容器の底部からダミーホーンによって超音波の縦波を照射し、振動装置の振動板によって、容器の側部から超音波の横波を照射し、容器内の液体にを撹拌して抽出するものである。
【実施例】
【０００８】
図１は本発明の実施例の超音波撹拌抽出装置の側面図で、超音波振動子１とダミーホーン２の間に振動板３が挟持されて、超音波振動子１と振動板３及びダミーホーン２が一体に固着され、又、振動板３は超音波振動子１とダミーホーン２の接着部から直交する方向に伸び、超音波振動子１及びダミーホーン２から少し離れた部分３ａでほぼ直角に曲げられ、ダミーホーン２の他端に接触して装着された湾曲した容器４を支えるように、振動板３の直角部分３ａから伸びた先端３ｂの近傍で、容器４の形状に沿って曲げられた部分３ｃが設けられ、又、超音波振動子１に発振出力を印加する発振器５が電気的に接続されている。
【０００９】
このように構成された本実施例の超音波撹拌抽出装置では、発振器５から超音波振動子１に発振出力を印加すると、ダミーホーン２の超音波波振によって、容器４の底部から超音波の縦波が照射されるとともに、振動板３の湾曲部３ｃによる振動によって、容器４の側部から超音波の横波が照射されるので、容器４内の液体は超音波の縦波と横波の合成した超音波で、容器４内に液体とともに入れられた固形物から抽出物が簡単に、短時間で抽出される。
【００１０】
図２は本発明の他の実施例の超音波撹拌抽出装置の側面図で、１は超音波振動子、２はダミーホーン、３は振動板、５は発振器で、これらの構成は上記実施例と同じであるので、説明は省略するが、本実施例では、容器４は通常市販されているボトルであり、従って、振動板３はボトルの容器４の外形に併せて直角部分３ａから容器４と平行に伸びて、容器４の外部に接触している。
【００１１】
このように構成した本実施例においても、ダミーホーン２から容器４の底部に超音波の縦波が照射され、又、振動板３の容器４に接触している部分３ｄによって、超音波の横波が照射されるので、容器４内の液体は超音波の縦波と横波の合成した超音波で、容器４内に液体とともに入れられた固形物から抽出物が簡単に、短時間で抽出される。
【産業上の利用可能性】
【００１２】
なお、上記実施例において、容器４はボトル以外にビン等も使用することができ、又、容器４はダミーホーン２に接着して一体に構成してもよく、さらに、超音波振動子１は単体の圧電体振動子でもよいし、圧電体振動子を２つの金属ブロックで挟持して一体に構成したランジュバン型振動子でもよいし、さらに、容器４に入れた固体はお茶や紅茶等以外にも抽出することができる。
【図面の簡単な説明】
【００１３】
【図１】本発明の実施例の超音波撹拌抽出装置の構成図である。
【図２】本発明の他の実施例の超音波撹拌抽出装置の構成図である。
【符号の説明】
【００１４】
１                超音波振動子
２                ダミーホーン
３                振動板
４                容器
５                発振器
【図１】
2006149710.tif 000003
【図２】
2006149710.tif 000004